(57)【要約】【課題】テレビ携帯電話により家庭用電子機器のスイッチを制御することにより、有線を構築するコストを節減し、エネルギを節約したり二酸化炭素の排出量を削減したりすることができる家庭用能動式遠隔暗号化オン／オフ装置を提供する。【解決手段】家庭用能動式遠隔暗号化オン／オフ装置は、無線通信により遠隔画像及び情報を伝送し、無線通信により家庭用電子機器Ａのスイッチを遠隔操作し、少なくとも１つのテレビ携帯電話１、遠隔撮影装置２、受信インタフェース３、デジタル信号処理器４、中央処理装置５、記憶装置６、センサ７及び受信器８を備える。少なくとも１つのテレビ携帯電話１は、無線通信の通信システムＢと通信し、暗号化された信号を送受信する特定のテレビ携帯電話である。遠隔撮影装置２は、家庭用電子機器Ａを撮影して監視する撮像ユニットである。【選択図】図１
0003164988.tif 000002
【実用新案登録請求の範囲】
【請求項１】
無線通信により遠隔画像及び情報を伝送し、無線通信により家庭用電子機器のスイッチを遠隔操作し、少なくとも１つのテレビ携帯電話、遠隔撮影装置、受信インタフェース、デジタル信号処理器、中央処理装置、記憶装置、センサ及び受信器を備えた家庭用能動式遠隔暗号化オン／オフ装置であって、
前記少なくとも１つのテレビ携帯電話は、無線通信の通信システムと通信し、暗号化された信号を送受信する特定のテレビ携帯電話であり、
前記遠隔撮影装置は、前記家庭用電子機器を撮影して監視する撮像ユニットであり、
前記受信インタフェースは、無線通信の通信システムを用いて特定の前記テレビ携帯電話と通信して暗号化された信号を送受信する遠隔受信装置であり、
前記デジタル信号処理器は、前記受信インタフェースが受信した暗号化された信号を復号して復調する処理器であり、
前記中央処理装置は、前記遠隔撮影装置の画像及び前記デジタル信号処理器が復号した信号を受信し、オーディオビデオ（画像及び音声）信号及びオン／オフ信号を出力し、前記オーディオビデオ信号は、前記受信インタフェースに伝送され、特定の前記テレビ携帯電話に送信されて保存し、前記オン／オフ信号は、前記家庭用電子機器に伝送され、
前記記憶装置は、前記中央処理装置から前記オーディオビデオ信号を受信して保存し、
前記センサは、前記家庭用電子機器内に配置され、前記家庭用電子機器に異常が発生した場合、探知信号を前記遠隔撮影装置に伝送するセンサユニットであり、前記探知信号は、前記遠隔撮影装置の画像と共に、前記中央処理装置に伝送され、
前記受信器は、前記家庭用電子機器内に配置され、前記中央処理装置から前記オン／オフ信号を受信し、前記家庭用電子機器のオン／オフを行うことを特徴とする家庭用能動式遠隔暗号化オン／オフ装置。
【請求項２】
前記少なくとも１つのテレビ携帯電話は、３Ｇ以上の無線通信を行うテレビ携帯電話であることを特徴とする請求項１に記載の家庭用能動式遠隔暗号化オン／オフ装置。
【請求項３】
前記記憶装置は、前記テレビ携帯電話内に配置された記憶装置であることを特徴とする請求項１に記載の家庭用能動式遠隔暗号化オン／オフ装置。
【考案の詳細な説明】
【技術分野】
【０００１】
本考案は、家庭用能動式遠隔暗号化オン／オフ装置に関し、特に、従来の無線通信設備を利用し、テレビ携帯電話を介して実行情報を伝送し、遠隔受信インタフェースに信号を伝送し、信号を処理して送信し、家庭用電子機器のスイッチの操作及び制御を行うことにより、有線を構築するコストを節減し、エネルギを節約したり二酸化炭素の排出量を削減したりすることができる家庭用能動式遠隔暗号化オン／オフ装置に関する。
【背景技術】
【０００２】
現在、社会の各方面で、家庭環境の安全に対する要求が年々高まっている。家庭用電子機器の性能向上に伴い、家庭用電子機器のメンテナンス及び安全監視への意識も日々高まっているが、現代人の生活は忙しいため家庭用電子機器のスイッチを消し忘れたり、所定時間にスイッチをオンする必要がある。一般に、家庭用電子機器のスイッチ操作は、ユーザ本人が直接電子機器に触って操作したり、タイマーを使用して操作を予約したりするが、常にタイマーの電源をオンしておく必要があるため、不必要な電力が消費される上、危険性も高い。
【０００３】
従来の家庭用電子機器の監視システムは、有線制御又は無線近距離制御の方式を用いていたが、科学技術の発展に伴い、現在、主にインターネットが遠隔操作に利用されている。従来の遠隔監視システムは、パーソナルコンピュータをＩ／Ｏサーバとして用い、Ｉ／Ｏデバイス及びネットワークの通信インタフェースを構築する（即ち、ＰＣベースのレジデンシャルゲートウェイ設計である）。このような方法で情報家電を監視する場合、複数のレジデンシャルゲートウェイを同時に監視することができるが、コンピュータ資源が無駄となる上、パーソナルコンピュータを監視用コンピュータホストとして用いる必要がある。しかし、周知のように、インターネットは、配線や帯域不足の問題が発生すると、画像が中断したり断続的で不鮮明になったりするため、十分に監視することができなかった。そのため、このような受動型システムは、使用上不便である。また、有線で伝送する場合、電線又はケーブルが主な設備として必要なため、インターネットはコストが高く、システムの構築が複雑だという欠点がある。
【考案の概要】
【考案が解決しようとする課題】
【０００４】
本考案の目的は、従来の無線通信設備を利用し、テレビ携帯電話を介して実行情報を伝送し、遠隔受信インタフェースに信号を伝送し、信号を処理して送信し、家庭用電子機器のスイッチの操作及び制御を行うことにより、有線を構築するコストを節減し、エネルギを節約したり二酸化炭素の排出量を削減したりすることができる家庭用能動式遠隔暗号化オン／オフ装置を提供することにある。
【課題を解決するための手段】
【０００５】
上記課題を解決するために、本考案の第１の形態によれば、無線通信により遠隔画像及び情報を伝送し、無線通信により家庭用電子機器のスイッチを遠隔操作し、少なくとも１つのテレビ携帯電話、遠隔撮影装置、受信インタフェース、デジタル信号処理器、中央処理装置、記憶装置、センサ及び受信器を備えた家庭用能動式遠隔暗号化オン／オフ装置であって、前記少なくとも１つのテレビ携帯電話は、無線通信の通信システムと通信し、暗号化された信号を送受信する特定のテレビ携帯電話であり、前記遠隔撮影装置は、前記家庭用電子機器を撮影して監視する撮像ユニットであり、前記受信インタフェースは、無線通信の通信システムを用いて特定の前記テレビ携帯電話と通信して暗号化された信号を送受信する遠隔受信装置であり、前記デジタル信号処理器は、前記受信インタフェースが受信した暗号化された信号を復号して復調する処理器であり、前記中央処理装置は、前記遠隔撮影装置の画像及び前記デジタル信号処理器が復号した信号を受信し、オーディオビデオ（画像及び音声）信号及びオン／オフ信号を出力し、前記オーディオビデオ信号は、前記受信インタフェースに伝送され、特定の前記テレビ携帯電話に送信されて保存し、前記オン／オフ信号は、前記家庭用電子機器に伝送され、前記記憶装置は、前記中央処理装置から前記オーディオビデオ信号を受信して保存し、前記センサは、前記家庭用電子機器内に配置され、前記家庭用電子機器に異常が発生した場合、探知信号を前記遠隔撮影装置に伝送するセンサユニットであり、前記探知信号は、前記遠隔撮影装置の画像と共に、前記中央処理装置に伝送され、前記受信器は、前記家庭用電子機器内に配置され、前記中央処理装置から前記オン／オフ信号を受信し、前記家庭用電子機器のオン／オフを行うことを特徴とする家庭用能動式遠隔暗号化オン／オフ装置が提供される。
【０００６】
また、前記少なくとも１つのテレビ携帯電話は、３Ｇ以上の無線通信を行うテレビ携帯電話であることが好ましい。
【０００７】
また、前記記憶装置は、前記テレビ携帯電話内に配置された記憶装置であることが好ましい。
【考案の効果】
【０００８】
本考案の家庭用能動式遠隔暗号化オン／オフ装置は、従来の無線通信設備を利用し、テレビ携帯電話を介して実行情報を伝送し、遠隔受信インタフェースに信号を伝送し、信号を処理して送信し、家庭用電子機器のスイッチの操作及び制御を行うため、有線を構築するコストを節減し、エネルギを節約したり二酸化炭素の排出量を削減したりすることができる。
【図面の簡単な説明】
【０００９】
【図１】本考案の一実施形態による家庭用能動式遠隔暗号化オン／オフ装置を示す模式図である。
【図２】本考案の一実施形態による家庭用能動式遠隔暗号化オン／オフ装置を使用するときの状態を示す模式図である。
【図３】本考案の他の実施形態による家庭用能動式遠隔暗号化オン／オフ装置を使用するときの状態を示す正面図である。
【考案を実施するための形態】
【００１０】
図１及び図２を参照する。図１及び図２に示すように、本考案の一実施形態による家庭用能動式遠隔暗号化オン／オフ装置は、無線通信で遠隔画像及び情報を伝送し、家庭用電子機器Ａのスイッチを遠隔操作する。
【００１１】
本考案の一実施形態による家庭用能動式遠隔暗号化オン／オフ装置は、少なくとも１つのテレビ携帯電話１、遠隔撮影装置２、受信インタフェース３、デジタル信号処理器４、中央処理装置５、記憶装置６、センサ７及び受信器８を含む。
【００１２】
少なくとも１つのテレビ携帯電話１は、画像表示を行うことが可能な３Ｇ（第３世代移動通信）以上のテレビ携帯電話であり、無線通信の通信システムＢを利用し、暗号化された信号の送受信を行う特定のテレビ携帯電話１である。
【００１３】
遠隔撮影装置２は、家庭用電子機器Ａを撮影して監視する撮像ユニットである。
【００１４】
受信インタフェース３は、無線通信の通信システムＢを介して特定のテレビ携帯電話１と通信し、暗号化された信号を送受信する遠隔受信装置である。
【００１５】
デジタル信号処理器４は、受信インタフェース３が受信した暗号化された信号を復号して復調（ｄｅｍｏｄｕｌａｔｅ）する処理器である。
【００１６】
中央処理装置５は、遠隔撮影装置２の画像と、デジタル信号処理器４が復号した信号とを受信し、オーディオビデオ（画像及び音声）信号５２及びオン／オフ信号５１を出力する。オーディオビデオ信号５２は、受信インタフェース３に伝送され、特定のテレビ携帯電話１に送信され、保存する。オン／オフ信号５１は、家庭用電子機器Ａに伝送される。
【００１７】
記憶装置６は、中央処理装置５から送信されたオーディオビデオ信号５２を受信して保存する。
【００１８】
センサ７は、家庭用電子機器Ａ内に配置され、家庭用電子機器Ａに異常が発生した場合、遠隔撮影装置２に探知信号を伝送するセンサユニットである。探知信号は、遠隔撮影装置２の画像と共に、中央処理装置５に伝送される。
【００１９】
受信器８は、家庭用電子機器Ａ内に配置され、中央処理装置５からオン／オフ信号５１を受信し、家庭用電子機器Ａのオン／オフを行う。
【００２０】
図２及び図３を参照する。図２及び図３に示すように、ユーザの自宅に受信インタフェース３を設置する。受信インタフェース３は、制御が必要な複数の家庭用電子機器Ａに対し、ユーザが所有する特定権限のテレビ携帯電話１にアクセスできる権限を与えるとともに、暗号化設定を行う。受信インタフェース３は、１組又は多数組の特定権限を有するテレビ携帯電話１に対応する。
【００２１】
図２を参照する。図２に示すように、本考案の家庭用能動式遠隔暗号化オン／オフ装置を家庭用クーラーに使用する応用例を以下説明する。気温が高く、帰宅する前に外出先からクーラーのスイッチをオンして予め自宅の気温を下げておきたい場合、特定権限を有するテレビ携帯電話１により無線通信で命令する。つまり、特定権限を有するテレビ携帯電話１は、無線通信で受信インタフェース３と通信し、暗号化設定のパスワードを入力すると、受信インタフェース３が情報を受信し、デジタル信号処理器４は、受信インタフェース３が受信した暗号化信号を復号して復調し、復号化された信号を中央処理装置５へ送信する。中央処理装置５は、復号化された信号に基づき、オーディオビデオ（画像及び音声）信号５２及びオン／オフ信号５１を出力する。家庭用クーラー内の受信器８は、オン／オフ信号５１を受信すると、家庭用クーラーがオンする。クーラーがオンされた後に、センサ７は、無線通信により遠隔撮影装置２から特定のテレビ携帯電話１にオーディオビデオ信号５２が伝送されると、テレビ携帯電話１内の記憶装置６により、オーディオビデオ信号５２を保存したり、通信会社が提供するクラウド記憶装置６に伝送したりする。テレビ携帯電話１は、受信インタフェース３に応じて単数回、複数回又は継続的に情報を送信し、様々な家庭用電子機器Ａのスイッチを同時に制御したり操作したりしてもよい。
【００２２】
図３を参照する。図３に示すように、本考案の家庭用能動式遠隔暗号化オン／オフ装置を家庭用電動シャッターに使用する応用例を以下説明する。誰かが電動シャッターの呼び鈴を鳴らしたり、故意に破壊して侵入しようとし、家庭用電子機器Ａのセンサ７が異常状況の発生を探知すると、遠隔撮影装置２が撮影した画像と共に情報を送信し、中央処理装置５で復号すると、無線通信の通信システムＢを介してオーディオビデオ信号５２がユーザのテレビ携帯電話１に伝送される。オーディオビデオ信号５２を受信した後、ユーザは、呼び鈴を鳴らした人物が誰なのかを確認したり、ドアを開けるか否かを判断したり、電動シャッターが泥棒に破壊されたのか動物が誤って接触したことによるものなのかを判断する。ユーザがテレビ携帯電話１を用いて命令する際、特定権限を有するテレビ携帯電話１により、無線通信で受信インタフェース３と通信し、暗号化設定のパスワードを入力すると、受信インタフェース３が情報を受信する。デジタル信号処理器４は、受信インタフェース３が受信した暗号化された信号を復号して復調し、復号化された信号を中央処理装置５に伝送する。中央処理装置５は、復号化された信号に基づき、オーディオビデオ（画像及び音声）信号５２及びオン／オフ信号５１を出力する。家庭用電動シャッターの受信器８がオン／オフ信号５１を受信すると、オン／オフを実行し、電動シャッターを開けて友人を中に入れたり、電動シャッターの電源をオフして泥棒が中に侵入することを防ぐとともに警察に通報したりする。さらに、録画された画像画面（即ち、オーディオビデオ信号５２）は、無線通信で特定のテレビ携帯電話１に伝送され、テレビ携帯電話１内の記憶装置６に保存したり、通信システムＢのクラウド記憶装置６に伝送したりする。
【００２３】
上述したことから分かるように、本考案の家庭用能動式遠隔暗号化オン／オフ装置は、従来技術と異なり、以下（１）〜（４）の長所を有する。
（１）無線通信方式を採用しているため、携帯電話が使用できる場所であれば信号を送信することができ、電線、ケーブルなどの有線方式により通信を行う必要がない上、有線帯域の問題もなく、有線設備の構築に必要なコストがかからない。
（２）遠隔操作を行うことができるため、面倒でない上、自動車等で行き来する場合に浪費される燃料コストを節減し、排出ガスによる汚染を低減させることができる。そのため、エネルギを節減して二酸化炭素の排出を減らすことができる。
（３）自宅に、家庭用電子機器のスイッチの制御管理システムを構築し、無線通信で遠隔操作し、家庭用電子機器を自動的に制御することができる。
（４）家庭用電子機器とユーザが所有する特定のテレビ携帯電話との間は、互いに対応した能動式と受動式との接続関係にあり（一方が能動式の場合、他方が受動式である。）、無線通信を利用して受信インタフェースにより両者間で信号の送受信を行い、能動的にコマンドを実行して能動的に情報を提供する。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１  テレビ携帯電話
２  遠隔撮影装置
３  受信インタフェース
４  デジタル信号処理器
５  中央処理装置
６  記憶装置
７  センサ
８  受信器
５１  オン／オフ信号
５２  オーディオビデオ信号
Ａ  家庭用電子機器
Ｂ  通信システム
【図１】
0003164988.tif 000003
【図２】
0003164988.tif 000004
【図３】
0003164988.tif 000005